(57)【要約】【課題】フレキシブル配線基板に接続のための特別な回路を形成せず、コネクタハウジングの小型化を図る。【解決手段】絶縁フィルム上に回路を形成し、この回路上に絶縁フィルムを被覆したフレキシブル配線基板を二つ折りし、この折曲個所に一方の絶縁フィルムを部分的に除去して回路の一部を露出させた露出部が形成された端部をコネクタハウジングの挿入口から挿入し、前記コネクタハウジング内に突起状バネ片が形成された電気接続子を配設し、前記挿入口から挿入されてきたフレキシブル配線基板の端部の露出部に突起状バネ片が接触するとともに、コネクタハウジングの内壁と突起状バネ片とで前記端部を挟持する。【選択図】図１
2008135276.tif 000002
【特許請求の範囲】
【請求項１】
絶縁フィルム上に回路を形成し、この回路上に絶縁フィルムを被覆したフレキシブル配線基板を二つ折りし、この折曲個所に一方の絶縁フィルムを部分的に除去して回路の一部を露出させた露出部が形成された端部をコネクタハウジングの挿入口から挿入し、
前記コネクタハウジング内に突起状バネ片が形成された電気接続子を配設し、
前記挿入口から挿入されてきたフレキシブル配線基板の端部の露出部に突起状バネ片が接触するとともに、コネクタハウジングの内壁と突起状バネ片とで前記端部を挟持することを特徴とするフレキシブル配線基板用コネクタ。
【請求項２】
前記突起状バネ片の頂部に球面隆起部を形成したことを特徴とする請求項１に記載のフレキシブル配線基板用コネクタ。
【請求項３】
前記露出部の回路上に金メッキ又は銀メッキ又は半田メッキを施したことを特徴とする請求項１又は２に記載のフレキシブル配線基板用コネクタ。
【請求項４】
前記電気接続子に金メッキ又は銀メッキ又は半田メッキを施したことを特徴とする請求項１又は２に記載のフレキシブル配線基板用コネクタ。
【発明の詳細な説明】
【技術分野】
【０００１】
本発明は、自動車やＯＡ機器などの配線に用いられているフレキシブル配線基板同士あるいはフレキシブル配線基板とワイヤハーネスとを接続するためのコネクタに関するものである。
【背景技術】
【０００２】
従来のフレキシブル配線基板同士の接続を図るコネクタとしては、両端にフレキシブル配線基板の各端部を挿入する挿入口が設けられ、内部に電気接続子が設けられたコネクタハウジングを備えたものが知られている。一方のフレキシブル配線基板に形成された複数の回路中隣接しない回路間をコネクタハウジングへ挿入される端部側でジョイント回路を形成して接続しておき、他方のフレキシブル配線基板の複数の回路導体を一方のフレキシブル配線基板の回路導体に単一片から形成された電気接続子を介して接続してある（特許文献１参照）。ここで用いられた電気接続子は、フレキシブル配線基板の露出する回路導体を挟み込む狭持部を有する。
【特許文献１】特開２００６−２６０８０３号公報（第３頁、第１図）
【発明の開示】
【発明が解決しようとする課題】
【０００３】
従来のフレキシブル配線基板のコネクタハウジングの挿入口に挿入される各端部には、ジョイント回路を形成するため、通常のフレキシブル配線基板の端部よりも寸法が大きくなり、寸法の大きくなった端部が挿入されてくるコネクタハウジングの大きさも大きくせざるを得なかった。
【０００４】
そこで、本発明は、フレキシブル配線基板の端部にジョイント回路を形成することなくジョイント接続を図るようにし、コネクタハウジングの小型化を図ったフレキシブル配線基板用コネクタを提供することを目的とする。
【課題を解決するための手段】
【０００５】
上述の目的を達成するため、本発明は、絶縁フィルム上に回路を形成し、この回路上に絶縁フィルムを被覆したフレキシブル配線基板を二つ折りし、この折曲個所に一方の絶縁フィルムを部分的に除去して回路の一部を露出させた露出部が形成された端部をコネクタハウジングの挿入口から挿入してコネクタハウジング内の電気接続子に形成された突起状バネ片を露出された回路に接触させつつコネクタハウジングの内壁と突起状バネ片とで前記端部を挟持するようにしたものである。突起状バネ片の頂部には球面隆起部を形成してある。また、フレキシブル配線基板の露出された回路上と電気接続子に金メッキ又は銀メッキ又は半田メッキを施してある。
【発明の効果】
【０００６】
本発明によれば、絶縁フィルム上に回路を形成し、この回路上に絶縁フィルムを被覆したフレキシブル配線基板を二つ折りし、この折曲個所に一方の絶縁フィルムを部分的に除去して回路の一部を露出させた露出部が形成された端部をコネクタハウジングの挿入口から挿入し、前記コネクタハウジング内に突起状バネ片が形成された電気接続子を配設し、前記挿入口から挿入されてきたフレキシブル配線基板の端部の露出部に突起状バネ片が接触するとともに、コネクタハウジングの内壁と突起状バネ片とで前記端部を挟持するようにしたものであり、コネクタハウジングの挿入口に挿入されるフレキシブル配線基板の端部に従来のようなジョイント回路を新たに形成する必要がなく、そのためにフレキシブル配線基板の構造もシンプルなものとなり、コネクタハウジングの寸法も小さくすることができる。
【０００７】
突起状バネ片の頂部に球面隆起部を形成したものにあっては、この球面隆起部とフレキシブル配線基板の露出した回路とが確実に接触し、電気的接続が確実なものとなる。また、露出した回路上に金メッキ又は銀メッキ又は半田メッキを施したものでは、より一層突起状バネ片との接触を確実なものとすることができる。
【発明を実施するための最良の形態】
【０００８】
以下に、本発明の好適な実施形態について図面を参照にして説明する。
【０００９】
図１は、２つのフレキシブル配線基板１０、２０をコネクタハウジング１の挿入口１Ａ、１Ｂから挿入して電気的接続を図る挿入前の斜視図である。フレキシブル配線基板１０、２０は、二つ折りされ、折曲個所をそれぞれ挿入口１Ａ、１Ｂへ挿入する。前記コネクタハウジング１内には電気的接続子２を設けてある。
【００１０】
図２は、フレキシブル配線基板１０、２０をコネクタハウジング１内で電気接続子２を介して接続した状態の断面図である。前記電気接続子２の突起状バネ片３がフレキシブル配線基板１０、２０をコネクタハウジング１の内壁１Ａとで狭持している。
【００１１】
前記フレキシブル配線基板１０、２０は、図３及び図４に示すように、ＰＥＴ、ＰＥＮ、ＰＩ、ＬＣＰ等の絶縁フィルム４上にＡｇ、Ｃｕ、Ｃ等からなる回路５が形成され、回路５上には絶縁フィルム６を被覆してあり、この絶縁フィルム６を部分的に除去して回路５の一部を露出させた露出部５Ａの個所でフレキシブル配線基板１０、２０を二つ折りする。この折曲線を符号Ｘ（図３参照）で示す。前記露出部５Ａの回路５上に金メッキ又は銀メッキ又は半田メッキ７を施してある。
【００１２】
図５は、コネクタハウジング１の内部に複数配設される電気接続子２を示す斜視図であり、銅合金やステンレス等の材料で形成され、一部分を切り起こして円弧状に折り曲げて突起状バネ片３を形成し、この突起状バネ片３の頂部に球面隆起部３Ａを打ち出し等の手段により形成してある、これらの球面隆起部３Ａがメッキ７（電極）の個所に接触し、２つのフレキシブル配線基板１０、２０を電気接続子２を介して接続する。また、電気接続子２は金メッキ又は銀メッキ又は半田メッキを施してある。
【００１３】
図１ないし図５の実施例では、３回路形成されたフレキシブル配線基板１０、２０同士を接続したが、フレキシブル配線基板１０（又は２０）とワイヤハーネス３０とを接続することもできる。ワイヤハーネス３０は、図６に示すように、電気接続子２の一端側に固着され、電気接続子２の他端側には、図５に示すと同様の突起状バネ片３を形成し、この突起状バネ片３でフレキシブル配線基板１０を内壁１Ａとで狭持して、ワイヤハーネス３０とフレキシブル配線基板１０とを接続することができる。
【図面の簡単な説明】
【００１４】
【図１】接続前の斜視図
【図２】接続後の断面図
【図３】フレキシブル配線基板の斜視図
【図４】フレキシブル配線基板の露出部個所の断面図
【図５】電気接続子の斜視図
【図６】ワイヤハーネスとの接続を説明する斜視図
【符号の説明】
【００１５】
１  コネクタハウジング
２  電気接続子
３  突起状バネ片
３Ａ  球面隆起部
４、６  絶縁フィルム
５  回路
５Ａ  露出部
１０、２０  フレキシブル配線基板
【図１】
2008135276.tif 000003
【図２】
2008135276.tif 000004
【図３】
2008135276.tif 000005
【図４】
2008135276.tif 000006
【図５】
2008135276.tif 000007
【図６】
2008135276.tif 000008